(57)【要約】【課題】電性接触子用支持体を高精度に製作しかつ低廉化する。【解決手段】  補強板３が埋設された状態の合成樹脂層体６を３枚重ね合わせ、さらに加熱して一体化し、補強板の各開口３ａに対応する部分に各ホルダ孔２の加工を行って支持体１を形成する。これにより、補強材により支持体全体の強度を高めることができると共に、補強板を複数枚重なり合うように設けることから、各補強板に薄肉のものを用いることができるため複数の孔開き形状における桟が細い場合の加工も容易に行うことができ、そのような形状に対する加工コストを低廉化し得る。また、合成樹脂層体を、不織布に熱硬化性樹脂を含浸させた合成樹脂材により形成することにより、不織布の繊維が細かくかつ短いため、工具による加工性が向上し、加工コストを低減し得る。【選択図】    図２
2011252916.tif 000002
【特許請求の範囲】
【請求項１】
被接触体に接触させる複数の導電性接触子を並列に配設した状態で支持するための導電性接触子用支持体であって、
前記支持体が、その厚さ方向に重なり合うように配設された複数の補強板を埋設した合成樹脂材により形成されていることを特徴とする導電性接触子用支持体。
【請求項２】
前記支持体が、前記補強板が一体化された合成樹脂層体を複数枚積層して形成されていることを特徴とする請求項１に記載の導電性接触子用支持体。
【請求項３】
前記合成樹脂材が、不織布に熱硬化性樹脂を含浸させたものであることを特徴とする請求項１若しくは請求項２に記載の導電性接触子用支持体。
【請求項４】
前記合成樹脂層体が前記補強板に複数枚の合成樹脂板を積層して形成され、前記合成樹脂層体同士が加熱・加圧により一体化されていることを特徴とする請求項２に記載の導電性接触子用支持体。
【請求項５】
前記合成樹脂板が、不織布に熱硬化性樹脂を含浸させて形成されていることを特徴とする請求項４に記載の導電性接触子用支持体。
【請求項６】
被接触体に接触させる複数の導電性接触子を並列に配設した状態で支持するための導電性接触子用支持体であって、
前記支持体が、前記導電性接触子のホルダ孔を形成する部分に設けられた合成樹脂体と、前記合成樹脂体の最外周に接着固定された環状補強部材とからなることを特徴とする導電性接触子用支持体。
【請求項７】
被接触体に接触させる複数の導電性接触子を並列に配設した状態で支持するための導電性接触子用支持体であって、
前記支持体が、不織布に熱硬化性樹脂を含浸させて形成されていることを特徴とする導電性接触子用支持体。
【請求項８】
被接触体に接触させる複数の導電性接触子を並列に配設した状態で支持するための導電性接触子用支持体であって、
前記支持体が、複数の部材を互いに重ね合わせて形成され、かつ前記複数の部材の少なくとも１つが不織布に熱硬化性樹脂を含浸させて形成されていることを特徴とする導電性接触子用支持体。
【発明の詳細な説明】
【技術分野】
【０００１】
本発明は、半導体関連部品の検査工程で使用される導電性接触子用支持体において、特にウェハ・レベル・テストに適する導電性接触子用支持体に関するものである。
【背景技術】
【０００２】
近年、半導体関連部品の検査において、高温雰囲気（約１５０度）下で電圧を印加して長時間（数時間〜数十時間）テストするバーンインテストが行われているが、パッケージ・レベルでのバーンインテストでは歩留まりが悪く、ウェハ・レベル（例えば直径２００ｍｍのウェハ）でのバーンインテストの実施により歩留まりを高めることが要求されるようになってきた。したがって、ウェハ・レベルのバーンインテストに使用される多点同時測定可能な導電性接触子ユニット（コンタクトプローブユニット）にあっては、特にその導電性接触子用支持体の耐熱性や熱膨張率が重要になる。
【０００３】
また、導電性接触子を複数配設したコンタクトプローブユニットとしては、各導電性針状体を被接触体に弾発的に接触させてウェハ上の対象となる各電極間の高さばらつきを許容する構造にすると良く、その一例を図１０に示す。図１０にあって、板状支持体２１に厚さ方向に貫通する段付き孔形状のホルダ孔２が形成されており、そのホルダ孔２の小径孔２ａにより導電性針状体２３が出没自在に受容され、その大径孔２ｂに導電性コイルばね１４が受容されている。導電性針状体２３は、大径孔２ｂ内に受容された外向フランジ部２３ａを有し、さらに大径孔２ｂ内で導電性針状体２３の外向フランジ部２３ａから延出する軸部２３ｂに一方のコイル端部が巻き付けられたコイルばね２４により弾発付勢されている。なお、コイルばね２４の他方のコイル端部は、支持体２１に積層された配線板２５の各端子２５ａに弾発的に接触している。これらの端子２５ａは図示されないテスターの電気回路に接続されている。
【０００４】
上記構造の導電性接触子を図１０に示されるように支持体２１に並列に配設して多点同時測定可能なコンタクトプローブユニットが構成される。そして、被接触体としてのウェハ２６（検査対象）の各電極２６ａに導電性針状体２３の針先を弾発的に押し当てて、電気的検査を実施する。
【発明の概要】
【発明が解決しようとする課題】
【０００５】
上記したようにウェハ２６の各電極２６ａに対する多点同時測定のためには、ウェハ２６上の多数の電極２６ａと同数の導電性接触子を支持体２１に配設しなければならず、支持体２１に設ける多数のホルダ孔２を精密孔加工する必要がある。さらに、バーンインテストでは例えば１２５〜１５０度の高温雰囲気が数十時間持続されるため、コンタクトプローブユニットにあっては耐熱性や低熱膨張率が重要視される。
【０００６】
ウェハの材料となるシリコンと同程度の耐熱性や低熱膨張率を有する材料として、シリコンを含めて例えばセラミックスやガラスあるいはインバーなどの低熱膨張金属があるが、シリコンにあっては加工速度が遅いばかりでなく絶縁加工が必要であり、セラミックスは難削材であり、ガラスにあっては加工精度のばらつきが大きいため歩留まりが悪く、低熱膨張金属は難削材かつ絶縁加工を必要とする。そのため、支持体にそれらの材質のものを使用して多数の精密孔を加工した場合には、生産性が極めて低く、生産コストが高騰化するという問題があった。
【０００７】
支持体の材質としては精密加工が容易な合成樹脂材などが好適であるが、板状支持体に多数の導電性接触子を高密度に配設したコンタクトプローブユニットにあっては、多数の導電性接触子による集中した圧力により支持体が反るおそれがあり、また熱膨張により導電性接触子（導電性針状体）の位置がずれるおそれもあり、そのような場合には接触ポイントがずれてしまうという問題がある。
【０００８】
また、半導体関連部品の検査にあっては、上記高温下でのテストに限られず、例えば約８０度（これを高温とみなすことも考えられる）で行う場合や、ＷＬＴ（ウェハ・レベル・テスト）でシリコンウェハ上のパターンに対して検査する際には一括コンタクトが困難で、各パターンを個々に検査するには非常に高精度な位置決めが要求されるために常温（通常の生活温度）で行う場合があり、このような場合でも上記接触ポイントのずれを防止するために高精度な導電性接触子用支持体を用いることが望まれる。
【課題を解決するための手段】
【０００９】
このような課題を解決するために、本発明は、ウェハ・レベル・テストに応じた多点同時測定用導電性接触子用支持体をテスト条件に応じて高精度かつ低コスト化し得ることを目的とする。
【００１０】
上記目的を達成するために、被接触体に接触させる複数の導電性接触子を並列に配設した状態で支持するための導電性接触子用支持体であって、前記支持体が、その厚さ方向に重なり合うように配設された複数の補強板を埋設した合成樹脂材により形成されているものとした。これによれば、補強板により支持体全体の強度を高めることができると共に、補強板を複数枚重なり合うように設けることから、各補強板に薄肉のものを用いることができるため複数の孔開き形状における桟が細い場合の加工も容易に行うことができ、そのような形状に対する加工コストを低廉化し得る。
【００１１】
特に、前記支持体が、前記補強板が一体化された合成樹脂層体を複数枚積層して形成されていることにより、各合成樹脂層体を薄板状に形成することができ、各層の寸法精度の高精度化により積層後の精度を高精度化し易いばかりでなく、合成樹脂層体が１枚では十分な厚みを確保できない場合でも積層により必要な厚さにすることができる。
【００１２】
さらに、前記合成樹脂材が、不織布に熱硬化性樹脂を含浸させたものであることによれば、その合成樹脂材を加熱しまたは加熱かつ加圧して支持体を形成することができ、その支持体に導電性接触子を組み付けるホルダ孔を形成する際に、例えばプリプレグやガラスエポキシ樹脂で形成した部材に加工する場合に比べて不織布の繊維が細かくかつ短いため、工具による加工性が向上し、加工コストを低減し得る。
【００１３】
また、前記合成樹脂層体が前記補強板に複数枚の合成樹脂板を積層して形成され、前記合成樹脂層体同士が加熱・加圧により一体化されていることにより、合成樹脂層体を、より一層薄い合成樹脂板を補強板に複数枚積層して形成することから、精度良くかつ容易に成形することができる。
【００１４】
さらに、前記合成樹脂板が、不織布に熱硬化性樹脂を含浸させて形成されていることによれば、支持体に導電性接触子を組み付けるホルダ孔を形成する際に上記と同様に工具による加工性が向上し、加工コストを低減し得る。
【００１５】
あるいは、被接触体に接触させる複数の導電性接触子を並列に配設した状態で支持するための導電性接触子用支持体であって、前記支持体が、前記導電性接触子のホルダ孔を形成する部分に設けられた合成樹脂体と、前記合成樹脂体の最外周に接着固定された環状補強部材とからなるものとした。これによれば、補強部材を環状に形成するという簡単な形状で良く、したがって簡単な構造で支持体の強度を確保することができる。
【００１６】
あるいは、被接触体に接触させる複数の導電性接触子を並列に配設した状態で支持するための導電性接触子用支持体であって、前記支持体が、不織布に熱硬化性樹脂を含浸させて形成されていること、または前記支持体が、複数の部材を互いに重ね合わせて形成され、かつ前記複数の部材の少なくとも１つが不織布に熱硬化性樹脂を含浸させて形成されているものとした。これによれば、不織布に熱硬化性樹脂を含浸させて形成した部材にあっては、それに導電性接触子を組み付けるホルダ孔を形成する際に、例えばプリプレグやガラスエポキシ樹脂で形成した部材に加工する場合に比べて不織布の繊維が細かくかつ短いため、工具による加工性が向上し、加工コストを低減し得る。そして、複数の部材の他のものを例えばセラミックスやガラスウェハ、あるいはＬＣＰ（液晶ポリマー）、ＰＥＳ（ポリ・エーテル・サルフォン）、ＰＥＩ（ポリ・エーテル・イミド）、ＰＰＳ（ポリ・フェミニレン・サルファイド）、ＰＡＩ（ポリ・アミド・イミド）などの合成樹脂材とすることにより、雰囲気温度の違い（常温〜約１５０度）や導電性接触子のピッチの大きさ（要求される精度の違い）に合わせて最適な組合せによる支持体を構成することができる。
【発明の効果】
【００１７】
このように本発明によれば、補強材により支持体全体の強度を高めることができると共に、補強板を複数枚重なり合うように設けることから、各補強板に薄肉のものを用いることができるため複数の孔開き形状における桟が細い場合の加工も容易に行うことができ、そのような形状に対する加工コストを低廉化し得る。
【００１８】
特に、補強板が一体化された合成樹脂層体を複数枚積層して支持体を形成することにより、各合成樹脂層体を薄板状に形成することができ、各層の寸法精度の高精度化により積層後の精度を高精度化し易いばかりでなく、合成樹脂層体が１枚では十分な厚みを確保できない場合でも積層により必要な厚さにすることができる。さらに、合成樹脂層体を前記補強板に複数枚の合成樹脂板を積層して形成し、合成樹脂層体同士を加熱・加圧により一体化することにより、合成樹脂層体を、より一層薄い合成樹脂板を積層して形成することから高精度にかつ容易に成形することができ、また任意の厚さのものを容易に製作できる。
【００１９】
また、合成樹脂材を不織布に熱硬化性樹脂を含浸させたものとすることにより、その合成樹脂材を加熱しまたは加熱かつ加圧して支持体を形成することができ、その支持体に導電性接触子を組み付けるホルダ孔を形成する際に、例えばプリプレグやガラスエポキシ樹脂で形成した部材に加工する場合に比べて不織布の繊維が細かくかつ短いため、工具による加工性が向上し、加工コストを低減し得ると共に、ドリル先端が繊維に当たって位置がずれてしまうことを防止することができ、容易に強度の高い支持体における高精度な孔加工をすることができるため、半導体関連部品の電極がより一層ファインピッチ化されても対応可能である。
【００２０】
あるいは、導電性接触子のホルダ孔を形成する部分に合成樹脂体を設け、合成樹脂体の最外周に環状補強部材を接着固定することにより、簡単な構造で支持体の強度を確保することができる。
【００２１】
あるいは、支持体が不織布に熱硬化性樹脂を含浸させて形成されていること、または不織布に熱硬化性樹脂を含浸させて形成された部材を有する複数の部材を互いに重ね合わせて支持体を形成することにより、補強部材を設けることなく、支持体自身の強度を高めることができ、かつ導電性接触子のホルダ孔を形成する際に上記と同様の効果を奏し得ると共に、複数の部材の他のものを例えばセラミックスやガラスウェハやＬＣＰ・ＰＥＳ・ＰＥＩ・ＰＡＩなどの合成樹脂材とすることにより、雰囲気温度の違い（常温〜約１５０度）や導電性接触子のピッチの精度（テスト対象品の端子ピッチに対する許容位置ずれ量の大きさ）に合わせて最適な組合せによる支持体を構成することができる。
【図面の簡単な説明】
【００２２】
【図１】本発明が適用された導電性接触子ユニットに用いられる支持体の平面図。
【図２】図１の矢印II−II線に沿って見た要部破断側面図。
【図３】（ａ）は合成樹脂層体の形成要領を示す要部拡大側断面図であり、（ｂ）は合成樹脂層体を示す要部拡大側断面図である。
【図４】（ａ）は支持体の形成要領を示す要部拡大側断面図であり、（ｂ）はホルダ孔加工前の支持体を示す要部拡大側断面図である。
【図５】第２の例を示す支持体の要部拡大側断面図。
【図６】第３の例を示す支持体の要部拡大側断面図。
【図７】第４の例を示す支持体の要部拡大側断面図。
【図８】第５の例を示す図２と同様の図。
【図９】第６の例を示す支持体及び導電性接触子を要部を破断して示す側断面図。
【図１０】従来の支持体及び導電性接触子を要部を破断して示す側断面図。
【発明を実施するための形態】
【００２３】
以下に添付の図面に示された具体例に基づいて本発明の実施の形態について詳細に説明する。
【００２４】
図１は、本発明が適用された導電性接触子ユニットに用いられる支持体１の平面図であり、図２は図１の矢印II−II線に沿って見た要部拡大側断面図である。図では、支持体１に組み合わされる導電性針状体及びコイルばねの図示を省略しているが、導電性接触子は従来例と同様であって良い。
【００２５】
検査対象が例えば８インチ・ウェハの場合には、本支持体１の大きさは、直径８インチ（約２００ｍｍ）前後の図に示されるような円形板状であって良い。また８インチ・ウェハの場合には、その面積の中に数十個〜数百個の半導体チップが形成されている。さらに、１２インチ・ウェハの場合には数千個の半導体チップが形成される。
【００２６】
図１及び図２に示されるように、支持体１には、被接触体である図示されないウェハに形成された複数のチップの各電極（従来例で示したものと同様であって良い）に対応するように複数の導電性接触子用のホルダ孔２が設けられている。また、ホルダ孔２の形状は従来例で示したものと同じであって良い。図１に示されるように各ホルダ孔２はチップ単位に集まっており、それら集合部分毎に外囲する開口を有しかつ支持体１の外周面近傍に至る全体として円板形状をなす補強板３が支持体１内に埋設状態に一体化されている。
【００２７】
本導電性接触子ユニットにあっては、補強板３にインバーやコバールなどの耐熱性を有する低熱膨張金属をエッチングやレーザー、プレスあるいは他の機械加工によりチップ単位の開口３ａを複数有するプレート状に形成したものを用いることができる。そして、図２に示されるように、支持体１を構成するべく互いに重ね合わされた複数枚（図示例では３枚）の合成樹脂層体６のそれぞれに補強板３が埋設された状態の構造になっており、そのようにして支持体１の厚さ方向に複数枚配設された補強板３を一体化してなる支持体１が形成されている。また、ホルダ孔２を設ける部分である上記開口３ａを埋めるように設けられた合成樹脂材に対してホルダ孔２が加工されている。
【００２８】
なお、合成樹脂材の材質としては、ホルダ孔２の加工容易な材質としてのＰＰＳ（ポリ・フェニレン・サルファイド）・ＬＣＰ・ＰＥＳ・ＰＥＩなどの合成樹脂材にすることにより、孔加工を容易に行うことができると共に高精度化し得るため、ウェハ・レベルに対応可能な狭ピッチかつ高精度なホルダ孔加工を行うことができる。
【００２９】
また、合成樹脂材にプリプレグやガラス入り樹脂を用いると良い。プリプレグの場合には、高剛性・高強度・低熱膨張・高寿命になり、ガラス入り樹脂の場合には、高温・高圧に耐え耐食性も良い。なお、ガラス入り樹脂には、微細なガラス棒を樹脂材と混ぜ合わせたものや、ガラスエポキシ樹脂などがある。これらプリプレグやガラス入り樹脂を用いた場合には、樹脂の伸びが低減されるため、雰囲気が変わってもホルダ孔２間のピッチ精度を確保でき、ウェハ・レベルのバーンインテストなどに特に有効である。
【００３０】
次に、上記支持体１の形成要領について図３及び図４を参照して以下に示す。図３（ａ）に示されるように、厚さが０．１５〜０．５ｍｍ程度の補強板３の図における上下の各面に対して、例えば３枚ずつの薄板状（例えば厚さ０．１８ｍｍ）の合成樹脂板４ａ・４ｂ・４ｃ及び５ａ・５ｂ・５ｃを矢印に示されるようにそれぞれ積層する。その積層状態のものを加熱・加圧し、図３（ｂ）に示されるように補強板３をインサートモールドなどにより合成樹脂材中に埋設した状態に一体化して、１部材となる合成樹脂層体６を形成する。
【００３１】
なお、上記合成樹脂板４ａ〜４ｃ・５ａ〜５ｃの材質は、上記したようにプリプレグやガラス入り樹脂、または不織布を含む合成樹脂であると良い。この場合に、ガラス繊維などにできるだけ細いものを用いることにより、合成樹脂板４ａ〜４ｃ・５ａ〜５ｃの厚さを薄くすることができ、合成樹脂層体６をより一層高精度にかつ容易に成形することができる。また、ガラス繊維を細くすることにより、プリプレグやガラス入り樹脂などにおけるガラス繊維の密度を高めることができ、それによりガラス繊維間に樹脂が流れ込む隙間が小さくなり、樹脂の溶け込み量の低減により樹脂密度が低下するため、耐熱膨張を好適に抑えることができる。なお、合成樹脂層体６にあっては、図３（ｂ）に示されるように補強板３の開口３ａ内に、上記加熱・加圧加工により合成樹脂板４ａ〜４ｃ・５ａ〜５ｃの一部が溶け込んで埋まっている。
【００３２】
このようにして形成された合成樹脂層体６を図４（ａ）に示されるように例えば３枚重ね合わせ、接着または加熱して図４（ｂ）に示されるように一体化し、各開口３ａに対応する部分に各ホルダ孔２の加工を行うことにより、図２に示されるように支持体１が形成される。
【００３３】
このようにして支持体１を形成することにより、１部材の厚板構造から加工して形成するよりも薄板構造のため各合成樹脂層体６の寸法精度を高めることができ、それらの積層後の精度を出し易いため、支持体１として形成されたものにおける仕上がり寸法を容易に高精度化し得る。なお、使用状態においては、補強板３により支持体１の熱変形が防止されるため、多数の導電性接触子を用いるウェハ・レベルのバーンインテスト用導電性接触子ユニットの支持体に好適であり、シリコンを含めたセラミックスやガラスあるいはインバーなどの低熱膨張金属などの単一材を用いて孔加工した場合に対して加工コストを低廉化し得ると共に、寸法精度に対するコストパフォーマンスが良い。
【００３４】
また、図５に本発明に基づく第２の例を示す。なお、図５において上記図示例と同様の部分については同一の符号を付してその詳しい説明を省略する。この第２の例にあっては、補強板３の一面（図における下面）を露出させるように一体化（インサートモールドなど）された３枚の合成樹脂層体７ａ・７ｂ・７ｃを重ね合わせ、最下面に露出する補強板３を覆うべく１枚の合成樹脂材のみからなる合成樹脂層体７ｄをさらに重ね合わせて、上記第１の例と同様の支持体１を形成している。このようにしても、上記と同様の作用効果を奏し得る。
【００３５】
また、図６を参照して第３の例を示す。この図６にあっても、上記図示例と同様の部分については同一の符号を付してその詳しい説明を省略する。この第３の例にあっては、例えば５枚の補強板３を予め互いに接触した状態に重ね合わせ、その上下に複数枚ずつの合成樹脂板４ａ〜４ｃ・５ａ〜５ｃを積層し、上記図示例と同様にして一体化されて形成されている。この場合には、１枚ずつの補強板３を上記各図示例のものに対してより一層薄く形成することができるため、板厚が厚い場合には形成困難な例えば各開口３ａ間の桟に相当する部分が細い場合に好適に対処し得る。
【００３６】
また、図７に本発明に基づく第４の例を示す。この第４の例における支持体１にあっては、各ホルダ孔２を形成する部分には厚板状の合成樹脂体７が設けられ、その合成樹脂体７を外囲するように形成された環状補強部材８を耐熱性接着材９により合成樹脂体７の外周面に固着して形成されている。このようにすることにより、合成樹脂体７に前記各図示例における補強板３をインサートモールドなどする必要が無く、加工が容易でありかつ安価に製作することができる。また、補強部材８を合成樹脂体７に接着材９により固着して一体化することから、製造工程も簡略化され、製造コストを低コスト化し得る。
【００３７】
次に、図８に第５の例を示す。この第５の例における支持体１にあっては各部材の構成は上記各例と同様であって良く、図８には、その代表例として第１の例における図２に対応するものを示す。したがって、図２と同様の部分については同一の符号を付してその詳しい説明を省略する。
【００３８】
この第５の例における合成樹脂層体１１は、不織布に熱硬化性樹脂を含浸させた合成樹脂材を用い、その合成樹脂材中に第１の例と同様に補強板３を埋設し、その状態で加熱または加熱しかつ加圧して板状体に形成されたものである。この不織布に含まれる繊維にあっては、例えばガラス繊維の他に、炭素繊維やシリカなどが、使用条件などに応じて適用可能である。いずれにしても、プリプレグやガラスエポキシ樹脂（長いガラス繊維を束にして撚ったものを縦緯糸として編んだもを基材とし、エポキシ樹脂を含浸したもの）に比べて細かく短い繊維となる。なお、温度の高さや強度（反り防止／補強板の開口間部分の変形防止）面からガラス繊維が適当である。
【００３９】
このようにすることにより、図の左側に示されるように合成樹脂層体１１を積層したものに対して、図の右側に示されるようにホルダ孔２を例えばドリルにより加工する場合に、孔明け対象の各合成樹脂層体１１に含まれる不織布が、プリプレグやガラスエポキシ樹脂に比べて細かく短い繊維からなることから、ドリル先端が繊維に当たって位置がずれてしまうことを防止することができる。これは、不織布の繊維が上記したガラス繊維などの場合に特に有効である。したがって、上記プリプレグやガラスエポキシ樹脂を用いた場合に対して、何ら劣ることがない強度を確保し、かつ加工精度を高めることができるため導電性接触子のピッチの高精度化に容易に対応でき、半導体関連部品の検査において精度を必要とする場合に有効であり、それが高温下で行われる場合であっても何ら問題がない。
【００４０】
次に、図９に本発明に基づく第６の例を示す。この第６の例における支持体１２にあっては、図に示されるように２部材１２ａ・１２ｂを互いに重ね合わせて形成されている。なお、これら２部材１２ａ・１２ｂは、メンテナンス時に分解できるように互いにビス止めされている。
【００４１】
各部材１２ａ・１２ｂには厚さ方向に貫通する段付き孔形状のホルダ孔１３が形成されており、図に示されるように両部材１２ａ・１２ｂを重ね合わせた状態で、ホルダ孔１３の各小径孔１３ａが支持体１２の厚さ方向両外面に臨み、ホルダ孔１３の各大径孔１３ｂが整合するようになっている。その小径孔１３ａにより導電性針状体１４の針状部１４ａが出没自在に支持されて良く、その大径孔１３ｂに導電性コイルばね１５がある程度たわむことができる程度に受容されている。
【００４２】
導電性針状体１４には、小径孔１３ａより拡径されかつ大径孔１３ｂに受容される外向フランジ部１４ｂと、その外向フランジ部１４ｂから針状部１４ａとは相反する向きに突設された小径のボス部１４ｃと、そのボス部１４ｃより縮径されかつボス部１４ｃに突設された状態の軸部１４ｄとが、針状部１４ａと同軸的にかつそれぞれ円形断面形状にて設けられている。なお、図における上側（ウェハ２６の各電極２６ａに接触させる側）の導電性針状体１４の軸部１４ｄが長く形成され、下側の導電性針状体１４の軸部１４ｄが短く形成されている。
【００４３】
導電性コイルばね１５は、例えば金メッキされていて良く、その一方のコイル端側に粗巻き部が、他方のコイル端側に密着巻き部がそれぞれ所定長設けられており、各コイル端部が、各導電性針状体１４のボス部１４ｃにそれぞれ嵌合している。この嵌合状態は、コイルばね１５の巻き締め力により、コイルばね１５と両導電性針状体１４とが仮組み付け状態で一体的に結合された状態になる程度であって良い。このようにすることにより、組み付け時の取り扱い性が良いと共に、メンテナンス時にも導電性針状体１４を導電性コイルばね１５に対してその巻き締め力を緩める方向に回すことにより簡単に外すことができる。
【００４４】
なお、２部材１２ａ・１２ｂは、図示例では互いに対称形をなしているがこれに限定されるものではない。また、図示例では２部材１２ａ・１２ｂを重ね合わせたものが示されているが、例えば２部材１２ａ・１２ｂ間に中間部材を挟持した三層構造であっても良く、３部材以上であって良い。
【００４５】
このようにして両端可動型の導電性接触子が構成され、両導電性針状体１４は、その外向フランジ部１４ｂが小径孔１３ａと大径孔１３ｂとの間の肩部に当たって抜け止めされ、その状態で導電性コイルばね１５が所定量圧縮されて、両導電性針状体１４には初期荷重が発生するようになっている。なお、図における下側の導電性針状体１４の針状部１４ａは、使用状態では従来例と同様に支持体１２に積層される配線板２５の各端子２５ａに弾発的に接触する。
【００４６】
上記圧縮により、図の組み付け状態で導電性コイルばね１５がたわむことから、図示例では、上側導電性針状体１４の軸部１４ｄの突出端部が導電性コイルばね１５の密着巻き部の端部に接触するようにそれぞれの長さが設定されている。このようにすることにより、公差の違いなどで相手電極２６ａの高さが不揃いのため没入深さが浅い導電性針状体１４が生じる場合であっても必ず密着巻き部を介して電流を流すことができ、常に電流がコイル状に流れることが無く、導通抵抗を低くかつ安定させることができる。なお、配線板２５を組み付けた状態で上記接触状態になるようにしても良い。
【００４７】
また、両部材１２ａ・１２ｂの材質は、必ずしも同じである必要はなく、上記不織布に熱硬化性樹脂を含浸させた合成樹脂材により形成したものと、例えばセラミックやガラスウェハやＬＣＰ・ＰＥＳ・ＰＥＩ・ＰＡＩなどの合成樹脂材により形成したものとを組み合わせることができる。このようにすることにより、使用環境（例えば常温のみならず約８０度、さらに約１５０度など）や電極２６ａのピッチが違うものに対応させて、最適な組合せにすることができる。なお、上記８０度及び１５０度は一例であり、その温度を限定するものではなく、常温から約１５０度に至る任意の温度によるテストに対して適用可能である。
【００４８】
上記組合せの例として、図示例の２枚構造の場合について以下に示す。温度が約１５０度の場合には、ウェハ側（図示例では１２ａ）をセラミックス製とし、配線板側（図示例では１２ｂ）をガラス繊維または充填材（短冊状の繊維やビーズ状のもの）を含む合成樹脂材に補強板を設けたもの（例えば第１の例の構造）とすると良い。このようにすることにより、高温側のウェハ側を熱に強い材質として高温かつ狭ピッチに対応できようにし、配線板側を高温に対して強度を保持し得る補強板を含む上記した構造としかつ加工容易性を確保することができる。
【００４９】
また、約８０度の場合には、ウェハ側をガラス繊維または充填材を含む合成樹脂材に補強板を設けたものとし、配線板側をガラス繊維または充填材を含む合成樹脂材で形成し補強板を含めなくても良いものとすることができる。この構成であっても、温度変化に対して精度維持を充分耐えることができ、上記セラミックスを用いた場合の製造コストを９０とすると３５程度まで下げることができる。
【００５０】
さらに、常温の場合には、ウェハ側を合成樹脂材のみで形成し、配線板側をガラス繊維または充填材を含む合成樹脂材で形成し補強板を含めなくても良いものとすることができる。この場合には上記セラミックスを用いた場合の製造コストの９０に対して２０程度まで下げることができる。
【００５１】
なお、これらは一例であり、温度条件や接触子ピッチの細かさにより組合せは多く、適宜選択可能である。
【符号の説明】
【００５２】
１  支持体
２  ホルダ孔、２ａ  小径孔、２ｂ  大径孔
３  補強板、３ａ  開口
４ａ・４ｃ・４ｃ・５ａ・５ｂ・５ｃ  合成樹脂板
６  合成樹脂層体
７  合成樹脂体
８  環状補強部材
９  接着材
１１  合成樹脂層体
１２ａ・１２ｂ  部材
１３  ホルダ孔、１３ａ  小径孔、１３ｂ  大径孔
１４  導電性針状体
１４ａ  針状部、１４ｂ  外向フランジ部、１４ｃ  ボス部、１４ｄ  軸部
１５  導電性コイルばね
２１  支持体
２３  導電性針状体、２３ａ  外向フランジ部、２３ｂ  軸部
２４  コイルばね
２５  配線板、２５ａ  端子
２６  ウェハ、２６ａ  電極
【図１】
2011252916.tif 000003
【図２】
2011252916.tif 000004
【図３】
2011252916.tif 000005
【図４】
2011252916.tif 000006
【図５】
2011252916.tif 000007
【図６】
2011252916.tif 000008
【図７】
2011252916.tif 000009
【図８】
2011252916.tif 000010
【図９】
2011252916.tif 000011
【図１０】
2011252916.tif 000012
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
被接触体に接触させる複数の導電性接触子を並列に配設した状態で支持するための導電性接触子用支持体であって、
前記支持体が、前記導電性接触子のホルダ孔を形成する部分に設けられた合成樹脂体と、前記合成樹脂体の最外周に接着固定された環状補強部材とからなることを特徴とする導電性接触子用支持体。
【手続補正２】
【補正対象書類名】明細書
【補正対象項目名】００１６
【補正方法】変更
【補正の内容】
【００１６】
上記構成によれば、補強材により支持体全体の強度を高めることができると共に、補強板を複数枚重なり合うように設けることから、各補強板に薄肉のものを用いることができるため複数の孔開き形状における桟が細い場合の加工も容易に行うことができ、そのような形状に対する加工コストを低廉化し得る。
【手続補正３】
【補正対象書類名】明細書
【補正対象項目名】００１９
【補正方法】変更
【補正の内容】
【００１９】
本発明によれば、導電性接触子のホルダ孔を形成する部分に合成樹脂体を設け、合成樹脂体の最外周に環状補強部材を接着固定することにより、簡単な構造で支持体の強度を確保することができる。
【手続補正４】
【補正対象書類名】明細書
【補正対象項目名】００２１
【補正方法】変更
【補正の内容】
【００２１】
【図１】導電性接触子ユニットに用いられる支持体の平面図。
【図２】図１の矢印II−II線に沿って見た要部破断側面図。
【図３】（ａ）は合成樹脂層体の形成要領を示す要部拡大側断面図であり、（ｂ）は合成樹脂層体を示す要部拡大側断面図である。
【図４】（ａ）は支持体の形成要領を示す要部拡大側断面図であり、（ｂ）はホルダ孔加工前の支持体を示す要部拡大側断面図である。
【図５】第２の例を示す支持体の要部拡大側断面図。
【図６】第３の例を示す支持体の要部拡大側断面図。
【図７】第４の例であり、本発明が適用された支持体の要部拡大側断面図。
【図８】第５の例を示す図２と同様の図。
【図９】第６の例を示す支持体及び導電性接触子を要部を破断して示す側断面図。
【図１０】従来の支持体及び導電性接触子を要部を破断して示す側断面図。
【手続補正５】
【補正対象書類名】明細書
【補正対象項目名】００３３
【補正方法】変更
【補正の内容】
【００３３】
また、図５に第２の例を示す。なお、図５において上記図示例と同様の部分については同一の符号を付してその詳しい説明を省略する。この第２の例にあっては、補強板３の一面（図における下面）を露出させるように一体化（インサートモールドなど）された３枚の合成樹脂層体７ａ・７ｂ・７ｃを重ね合わせ、最下面に露出する補強板３を覆うべく１枚の合成樹脂材のみからなる合成樹脂層体７ｄをさらに重ね合わせて、上記第１の例と同様の支持体１を形成している。このようにしても、上記と同様の作用効果を奏し得る。
【手続補正６】
【補正対象書類名】明細書
【補正対象項目名】００３９
【補正方法】変更
【補正の内容】
【００３９】
次に、図９に第６の例を示す。この第６の例における支持体１２にあっては、図に示されるように２部材１２ａ・１２ｂを互いに重ね合わせて形成されている。なお、これら２部材１２ａ・１２ｂは、メンテナンス時に分解できるように互いにビス止めされている。